(57)【要約】【課題】あらわし天井に照明装置を設置する場合に構造梁の外観を損なわないようにするとともに、十分な明るさを確保する。【解決手段】本発明の照明装置１００は、水平方向に並んで配置された複数本の構造梁１〜３を備えた梁あらわし天井に設置され、複数本の構造梁のうち隣に位置する２本の構造梁の間に取り付けられる、前記構造梁１〜３の外観と類似する外観を有する筒状のハウジング１０と、前記ハウジング１０の下部に形成された開口と、前記ハウジングの側部に形成された透光窓と、前記ハウジング内に配置された、前記開口から光を放射する第１照明器具と、前記ハウジング内に配置された、前記透光窓から光を放射する第２照明器具とを備える。【選択図】図１
2018155001.tif 000002
【特許請求の範囲】
【請求項１】
水平方向に並んで配置された複数本の構造梁を備えた梁あらわし天井に設置される照明装置であって、
a) 前記複数本の構造梁のうち隣に位置する２本の構造梁の間に取り付けられる、前記構造梁の外観と類似する外観を有する筒状のハウジングと、
b) 前記ハウジングの下部に形成された開口と、
c) 前記ハウジングの側部に形成された透光窓と、
d) 前記ハウジング内に配置された、前記開口から光を放射する第１照明器具と、
e) 前記ハウジング内に配置された、前記透光窓から光を放射する第２照明器具と
を備える照明装置。
【請求項２】
前記第１照明器具が、前記開口に取り付けられた光源収容部と、該光源収容部に装着されたＬＥＤ電球と、前記ハウジング内に配置された前記ＬＥＤ電球の駆動装置とを有することを特徴とする請求項１に記載の照明装置。
【請求項３】
前記ハウジングの上部に窓部が形成されていることを特徴とする請求項１又は２に記載の照明装置。
【請求項４】
前記構造梁及び前記ハウジングが、同一の木材から形成されていることを特徴とする請求項１〜３のいずれかに記載の照明装置。
【請求項５】
a) 水平方向に並んで配置された複数本の構造梁と、
b) 該複数本の構造梁のうち隣に位置する２本の構造梁の間に取り付けられた、請求項１ないし４のいずれかに記載の照明装置と、
を備えた梁あらわし天井。
【発明の詳細な説明】
【技術分野】
【０００１】
本発明は、構造梁の一部または全部を露出させた梁あらわし天井に設置される照明装置に関する。
【背景技術】
【０００２】
柱とともに家屋を支える梁（構造梁）は、通常、室内から見えないように天井板や内壁によって隠蔽されるが、室内空間を広くみせるために、天井板を取り除いて構造梁の一部又は全部を露出させた家屋が提供されている。このような天井は、梁あらわし天井、或いはあらわし天井と呼ばれる。一般的な天井に設置される照明器具の配線や光源の駆動装置は、室内から見えないように天井板の裏側に配置されるが、梁あらわし天井では天井板がないため、照明器具の配線等を隠すことができない。
【０００３】
これに対して、特許文献１には、鉄骨ラーメン構造の家屋において鋼材から成る構造梁を露出させた梁あらわし天井において、該構造梁を照明器具のハウジングとして利用した照明装置が提案されている。この照明装置は、構造梁の両側面に該構造梁よりも上下寸法が大きい化粧板を張り付け、構造梁の下面と２枚の化粧板で囲まれた凹部を該構造梁の下部に形成し、該凹部に照明器具と配線を収容している。この照明装置では、配線が外部から見えないため、見映えがよい。また、構造梁の下部に照明装置を固定したり吊り下げたりする構成に比べて室内空間を広く見せることができる。
【先行技術文献】
【特許文献】
【０００４】
【特許文献１】特開平11-140976号公報
【発明の概要】
【発明が解決しようとする課題】
【０００５】
一方、木造家屋において、梁あらわし天井にする目的には、室内空間を広くすることに加えて、木材から成る構造梁の質感や外観を活かすことがある。従って、木造家屋の梁あらわし天井の場合に、特許文献１のように、照明器具及び配線を収容する凹部を形成するために化粧板を構造梁に貼り付けることは、構造梁の外観を損うことになり好ましくない。また、形状が規格化された鋼材からなる構造梁と異なり、木材から成る構造梁の中には全体の太さが揃っていないものもあり、このような構造梁に化粧板を取り付けることは難しい。
【０００６】
木材から成る構造梁の場合、構造梁の下部を彫ることで長さ方向に沿う凹部を形成し、そこに照明器具と配線等（或いは配線等のみ）を収容することも考えられるが、この場合も構造梁の外観を損ねることになる。また、家屋を支持するという構造梁の機能を考えると、構造梁に凹部を形成することは構造梁の強度低下を招くため、できるだけ凹部を小さくすることが望ましいが、この場合は、そこに収容された照明器具からの光で室内を十分に明るく照らすことは難しい。
【０００７】
本発明が解決しようとする課題は、梁あらわし天井に照明装置を設置する場合に構造梁の外観を損なわないようにするとともに、十分な明るさを確保することである。
【課題を解決するための手段】
【０００８】
上記課題を解決するために成された本発明は、
水平方向に並んで配置された複数本の構造梁を備えた梁あらわし天井に設置される照明装置であって、
a) 前記複数本の構造梁のうち隣に位置する２本の構造梁の間に取り付けられる、前記構造梁の外観と類似する外観を有する筒状のハウジングと、
b) 前記ハウジングの下部に形成された開口と、
c) 前記ハウジングの側部に形成された透光窓と、
d) 前記ハウジング内に配置された、前記開口から光を放射する第１照明器具と、
e) 前記ハウジング内に配置された、前記透光窓から光を放射する第２照明器具と
を備えることを特徴とする。
【０００９】
本発明に係る照明装置は、梁あらわし天井の構造梁の間に取り付けられるため、構造梁の外観を損なうことがない。また、照明装置のハウジングが構造梁の外観と類似しているため、構造梁との一体感が得られる。
本発明に係る照明装置では、第１照明器具からの光はハウジングの下部の開口から放射され、第２照明器具からの光はハウジングの側部の透光窓から放射される。このように２箇所から室内に向けて光を放射することができるため、室内を明るく照らすことができる。
【００１０】
第１照明器具としては、いわゆるダウンライトを採用することができる。すなわち、この構成においては、第１照明器具が、開口に取り付けられた光源収容部と、該光源収容部に装着されたＬＥＤ電球と、ハウジング内に配置されたＬＥＤ電球の駆動装置とを有する。この構成では、開口を通してＬＥＤ電球を交換することができる。
第２照明器具としては、ＬＥＤ電球と該ＬＥＤ電球の駆動装置とを備えたものとすると良い。このように、第１及び第２照明器具ともに光源としてＬＥＤ電球を用いると、点灯時の温度上昇を抑えることができる。
【００１１】
本発明においては、前記ハウジングの上部に窓部が形成されていることも良い構成である。この構成によれば、第２光源からの光を窓部から上方に向けて放射することができる。また、ハウジングの上部に窓部を設けたことにより、点灯時に第１及び第２照明器具が温度上昇した場合でも、その熱を窓部から効率よく排出することができる。
【００１２】
本発明に係る照明装置は、特に木造家屋の梁あらわし天井に設置する場合に有効であり、この場合、構造梁と同一の木材から前記ハウジングを形成すると良い。
【００１３】
また、本発明に係る梁あらわし天井は、
a) 水平方向に並んで配置された複数本の構造梁と、
b) 該複数本の構造梁のうち隣に位置する２本の構造梁の間に取り付けらされた、上述の照明装置と、
を備えることを特徴とする。
【発明の効果】
【００１４】
本発明によれば、梁あらわし天井において、構造梁の外観を損なうことなく照明装置を設置することができ、しかも、ハウジングの下部の開口及び側部の透光窓から第１及び第２照明器具の光源からの光を放射するため、室内を十分に明るくすることができる。
【図面の簡単な説明】
【００１５】
【図１】本発明の第１実施例に係る梁あらわし天井の構成を示す斜視図。
【図２】一部の照明装置を取り外した状態を示す梁あらわし天井の斜視図。
【図３】照明装置の全体を示す斜視図。
【図４】照明装置の縦断面図（ａ）、下面図（ｂ）。
【図５】本発明の第２実施例に係る照明装置の縦断面図。
【図６】透光窓の変形例を示す図。
【発明を実施するための形態】
【００１６】
以下、本発明を実施するための形態についていくつかの実施例を挙げて説明を行う。
【実施例】
【００１７】
＜第１実施例＞
本発明の第１実施例に係る梁あらわし天井及び照明装置の構成について図１〜図４を参照しつつ説明する。図１は、木造家屋の部屋の天井空間の例を示している。図１に示すように、この天井は、複数本の構造梁１〜３が天井板で隠されることなく露出した梁あらわし天井であり、複数本の構造梁１〜３が水平方向に並んで配置されている。そして、これら構造梁１〜３のうち隣に並ぶ２本の構造梁の間に本実施例に係る照明装置１００が設置されている。図１に示す例では、構造梁１と構造梁２の間、及び構造梁２と構造梁３の間に、それぞれ２個の照明装置１００が設置されている。
【００１８】
図２は梁あらわし天井から構造梁２と構造梁３の間の２個の照明装置１００を取り外した状態を示す図、図３は照明装置１００の外観斜視図、図４は照明装置の縦断面図（ａ）、下面図（ｂ）である。図１〜図４に示すように、照明装置１００は、矩形筒状の木製のハウジング１０と、該ハウジング１０の内部に収容された２種類の照明器具（第１照明器具３０、第２照明器具４０）を備えている。ハウジング１０は、隣り合う構造梁の間隔に合わせた適宜の長さに設定されている。また、本実施例では、照明装置１００が梁あらわし天井に馴染むよう、ハウジング１０は構造梁１〜３と同じ色の同じ木材を用いて、また、構造梁１〜３と類似した外観となるように構成されている。
構造梁１〜３の側面には、ハウジング１０の内周形状とほぼ同じ外形状の矩形枠１０１が固定されている。本実施例では、矩形枠１０１は木材から形成されているが、金属材料（例えばアルミアングル材）から形成されていても良い。
【００１９】
ハウジング１０は、断面コ字状の本体部１１と、該本体部の上部開口を塞ぐ蓋部１３から構成されている。本体部１１は、長方形状の下面部１１０と該下面部１１０の対向する２個の長辺部の各々に立設された長方形状の側面部１２０から成る。下面部１１０には２個の円形状の開口１１１が形成されており、側面部１２０には複数の細長いスリット１２１から成る透光窓１２２が形成されている。本実施例では、長さの異なるスリット１２１を組み合わせたことにより、全体として菱形状の透光窓１２２が構成されている。
【００２０】
蓋部１３は、側面部１２０の上端部に取り外し可能に嵌合されており、ほぼ等間隔に配置された５個の円形状の放熱窓１３１が形成されている。蓋部１３の内面及び側面部１２０の内面には、それぞれ金属製（ステンレス製、アルミ製等）の耐熱シート２０が貼り付けられている。耐熱シート２０は木製のハウジング１０の耐熱性を向上させるために用いられたものであり、放熱窓１３１からの放熱、及び透光窓１２２からの照明光の放射を妨げないようにメッシュ状のシートが採用されている。また、この耐熱シート２０は、防虫網としても機能する。
【００２１】
ハウジング１０の内部には２種類の照明器具３０、４０が収容されている。照明器具３０、４０はいずれもハウジング１０の下面部１１０に取り付けられている。
第１照明器具３０はいわゆるダウンライトから成り、下面部１１０の開口１１１に嵌め込まれた円錐台状の電球取付部３１と、下面部１１０の上面に配置された光源駆動装置３２とを含む。電球取付部３１には、光源としてのＬＥＤ電球３３が装着される。光源駆動装置３２には、リモートコントローラ（以下、リモコン、図示せず）から送信されてくる信号を受信する通信装置３４が接続されており、リモコンを操作することによりＬＥＤ電球３３の点灯、消灯、及び調光が可能になっている。第１照明器具３０は、光源駆動装置３２を下面部１１０の開口１１１からハウジング内に挿入した後、電球取付部３１のフランジ３１ａを該開口１１１の周縁部に宛がい、取付具（図示せず）によって該電球取付部３１を下面部１１０に固定することにより下面部１１０に着脱可能に取り付けられる。
【００２２】
一方、第２照明器具４０は、下面部１１０の２個の開口１１１の間の部分に固定された支持台４１、該支持台４１の上面に傾斜角度を変更可能に設けられた２個の取付片４２、各取付片４２に固定されたソケット４３、該ソケット４３に着脱可能に装着される光源としてのＬＥＤ電球４４、下面部１１０の一方の端部付近に配設された光源駆動装置４５、該光源駆動装置４５に接続された通信装置４６、光源駆動装置４５とソケット４３を繋ぐ配線４７を含む。第１照明器具３０と同様、第２照明器具４０においても、図示しないリモコンから送信されてくる信号によってＬＥＤ電球４４の点灯、消灯、及び調光が可能になっている。
【００２３】
上記照明装置１００は、ハウジング１０の両端の開口をそれぞれ構造梁の側面に固定された矩形枠１０１に嵌め込み、該ハウジング１０の側面部１２０と矩形枠１０１の対応する箇所に設けられた孔に化粧ビス１０２を螺挿することにより構造梁に固定される。また、化粧ビス１０２を緩めてハウジング１０の側面部１２０及び矩形枠１０１の孔から抜き、ハウジング１０と矩形枠１０１の嵌合を解くことにより照明装置１００が構造梁から取り外される。
【００２４】
照明装置１００の第１照明器具３０のＬＥＤ電球３３を交換する場合は、ハウジング１０の下面部１１０の開口１１１に嵌め込まれた電球取付部３１から古いＬＥＤ電球３３を取り外した後、新しいＬＥＤ電球３３を取り付ける。一方、第２照明器具４０のＬＥＤ電球４４を交換する場合は、一旦、開口１１１から第１照明器具３０を取り外し、該開口１１１からハウジング１０内に手を入れてＬＥＤ電球４４を交換する。
【００２５】
上記照明装置１００では、第１照明器具３０のＬＥＤ電球３３が点灯すると、その光は開口１１１を通して下方に放射される。一方、第２照明器具４０のＬＥＤ電球４４が点灯すると、その光は透光窓１２２を通して側方に放射され、放熱窓１３１を通して上方に放射される。ハウジング１０から下方に向けて放射される光は、室内を直接照らし、ハウジング１０から側方及び上方に向けて放射される光は、天井面や壁面、構造梁等に当たった後、室内を照らす。従って、第１及び第２照明器具３０、４０の両方のＬＥＤ電球３３、４４を点灯した場合、上記照明装置１００は、直接照明と間接照明の両方の効果が得られ、室内を明るく照らすことができる。
【００２６】
一方、室内の明るさを少し抑えたい場合は、４個の照明器具３０、４０のＬＥＤ電球のうちのいずれか１個〜３個を点灯する。この場合、第２照明器具４０のＬＥＤ電球４４のみを点灯すると、間接照明となるため、落ち着いた雰囲気の光で室内を照らすことができる。
【００２７】
このように、本実施例に係る照明装置１００によれば、梁あらわし天井に設置した場合でも室内を十分に明るく照らすことができる。しかも、照明装置１００のハウジング１０を構造梁１〜３と同じ木材から構成し、且つ構造梁１〜３の外観と類似した外観にしたため、梁あらわし天井の外観を損ねることがない。
【００２８】
＜第２実施例＞
本発明の第２実施例に係る照明装置を図５を参照しつつ説明する。なお、ここでは、既に説明した第１実施形態と同一又は対応する構成要素については数字の下二桁が共通する符号を付し、適宜説明を省略する。なお、図４では便宜上、耐熱シートの図示を省略している。
【００２９】
この実施例に係る照明装置２００では、２個の照明器具２４０を蓋部２１３の下面に配置している。具体的には、蓋部２１３には３個の円形状の開口２３１がほぼ等間隔に形成されており、中央の開口２３１と両側の開口２３１の間にそれぞれ照明器具２４０の支持台２４１、取付片２４２、各取付片２４２に固定されたソケット２４３、該ソケット２４３に着脱可能に装着されたＬＥＤ電球２４４が配置され、蓋部２１３の両端に各照明器具２４０の光源駆動装置２４５及び通信装置２４６が設置されている。
【００３０】
この実施例においても、第１実施例と同様の作用・効果が得られる。
また、この実施例では、蓋部２１３に照明器具２４０を設置したことにより、該照明器具２４０の設置面積が広がるため、照明器具２４０の数を増やすことが可能である。さらに、ＬＥＤ電球に代えて長尺な蛍光灯を光源として用いることもできる。
【００３１】
以上、本発明を実施するための形態について実施例を挙げて説明したが、本発明は上記実施例に限定されるものではなく、本発明の趣旨の範囲内で適宜の変更又は追加が可能である。
例えば、透光窓は、図６（ａ）、（ｂ）に示すような複数の菱形や円形の開口から構成しても良く、図６（ｃ）に示すような同じ長さの複数のスリットを組み合わせて１個の透光窓を構成し、この透光窓を複数、配置しても良い。さらに、図６（ｄ）に示すような、第１及び第２実施例で説明した透光窓を２つに分割した形状の透光窓も考えられる。透光窓の大きさや形状によって、ハウジングの側部から放射される光の量や光の形状を調整することができるため、該照明装置が設置される部屋の機能・目的に応じた適宜の大きさ、形状にするとよい。
【００３２】
上記実施例では、ハウジング１０、２１０を構造梁と同じ木材から構成したが、構造梁と類似した外観や質感が得られるのであれば、異なる木材を用いても良い。
【００３３】
また、上記実施例では四角筒状のハウジング１０、２１０を採用したが、円筒状や四角筒以外の多角形筒状としても良い。また、樹木の幹の形状をそのまま利用した異形状の構造梁の間に照明装置を設置する場合には、ハウジングもそれに似せた異形状にすると良い。
【００３４】
さらに、第２照明器具４０、２４０はハウジング１０、２１０の下部と上部（蓋部）の両方に設置しても良く、ハウジング１０、２１０の側部に配置しても良い。また、第２照明器具４０、２４０の光源としては、電球の他、蛍光灯を採用することもできる。
【００３５】
第１照明器具３０、２３０及び第２照明器具４０、２４０の個数は、照明装置１００、２００を設置する部屋の広さやハウジングの長さ（つまり構造梁の間隔）に合わせて適宜変更すると良い。また、第１照明器具３０、２３０と第２照明器具４０、２４０の数は異なっていても良い。
さらに、上記実施例では、構造梁の上に空間があるタイプの梁あらわし天井に照明装置を設置した例を挙げたが、本発明に係る照明装置は、天井板の下面に構造梁が位置しており、該構造梁の上に空間がないタイプの梁あらわし天井にも設置することができる。
【符号の説明】
【００３６】
１〜３…構造梁
１０…ハウジング
１００、２００…照明装置
１０１、２０１…矩形枠
１１…本体部
１１０、２１０…下面部
１１１、２１１…開口
１２０、２２０…側面部
１２１、２２１…スリット
１２２、２２０…透光窓
１３、２１３…蓋部
１３１、２３１…放熱窓
２０…耐熱シート
３０、２３０…第１照明器具
３２、２３２…光源駆動装置
３３、２３３…ＬＥＤ電球
３４、２３４…通信装置
４０、２４０…第２照明器具
４４、２４４…ＬＥＤ電球
４５、２４５…光源駆動装置
４６、２４６…通信装置
４７、２４７…配線
【図１】
2018155001.tif 000003
【図２】
2018155001.tif 000004
【図３】
2018155001.tif 000005
【図４】
2018155001.tif 000006
【図５】
2018155001.tif 000007
【図６】
2018155001.tif 000008